(57)【特許請求の範囲】
【請求項１】
空調制御を行うコントローラが設けられ、該コントローラには、該コントローラによって制御された空調履歴が記憶され着脱自在に設けられた不揮発メモリと、前記コントローラによって制御された空調履歴が記憶されるＲＡＭと、前記不揮発メモリ及び前記ＲＡＭの書込み、読み出しを行うとともに、前記不揮発メモリ及び前記ＲＡＭの双方に空調履歴を書込み同期状態とするメモリ制御部とが設けられ、前記コントローラに新たな不揮発メモリを装着すると、前記ＲＡＭに記憶されている空調履歴が前記メモリ制御部によって読み出され、前記新たな不揮発メモリに書き込まれることを特徴とするコンテナ用冷凍装置。
【発明の詳細な説明】
【０００１】
【発明の属する技術分野】
本発明は、積荷を搭載して船舶等に輸送用として用いられて好適なコンテナ用冷凍装置に関する。
【０００２】
【従来の技術】
従来、コンテナ用冷凍装置として、例えば図２に示すように構成されたものが知られている。一般的にコンテナ用冷凍装置１は、直方体形状からなるコンテナ２の一方の端壁２ａに組み付けられている。
そして、このコンテナ２は、図示しない他方の端壁に設けられた扉から積荷等を庫内に収納し、端壁２ａに設けられたコンテナ用冷凍装置１を運転することによって、このコンテナ２の庫内温度を−３０℃〜＋２５℃程度の範囲で任意に設定された温度に維持しながら、船舶、トラック、鉄道車両等に積載されて運搬されるようになされている。
【０００３】
図２のように、コンテナ用冷凍装置１は、制御を行うコントローラ３を備えている。このコントローラ３は、図３に示すようにコンテナ２の温度、空調装置の運転パターン、アラーム発生時刻など、コンテナ用冷凍装置１の空調履歴Ｈを記憶する記憶部５が設けられている。
従来、この記憶部５には記憶媒体としてＳＲＡＭ（スタティックランダムアクセスメモリ）６が設けられている。
そして、例えば荷下ろし時に、コンテナ用冷凍装置１の輸送中において適切な空調が行われたことを証明するために地上のコンピュータ７と通信ケーブル８によって接続し、コンピュータ７にデータを移して空調履歴を確認するようになっている。
【０００４】
【発明が解決しようとする課題】
しかしながら、ＳＲＡＭ６は記憶を保持するために常に通電しておく必要がある。このため、記憶部５はバッテリ９を備えているが、何らかの原因でバッテリ９による電源供給が断たれると、ＳＲＡＭ６の記憶内容は全て消失してしまうという問題がある。
また、コントローラ３が故障した場合には、ＳＲＡＭ６から正しくデータが取り出せないか、コンピュータ７にてデータを取り出すことができたとしても、その後交換したコントローラ３の新たなＳＲＡＭ６にデータを戻すことは出来ないという問題があった。また、航海中にデータを取り出すだけでも船上に予めコンピュータ７を用意しておく必要があり、作業が煩雑であった。
【０００５】
本発明は上記事情に鑑みて成されたものであり、空調履歴データの損失を防止すると共にコントローラの交換が容易なコンテナ用冷凍装置を提供することを目的とする。
【０００６】
【課題を解決するための手段】
請求項１に記載の発明は、空調制御を行うコントローラが設けられ、該コントローラには、該コントローラによって制御された空調履歴が記憶され着脱自在に設けられた不揮発メモリと、前記コントローラによって制御された空調履歴が記憶されるＲＡＭと、前記不揮発メモリ及び前記ＲＡＭの書込み、読み出しを行うとともに、前記不揮発メモリ及び前記ＲＡＭの双方に空調履歴を書込み同期状態とするメモリ制御部とが設けられ、前記コントローラに新たな不揮発メモリを装着すると、前記ＲＡＭに記憶されている空調履歴が前記メモリ制御部によって読み出され、前記新たな不揮発メモリに書き込まれることを特徴とする。
【０００７】
この発明においては、電源がなくとも空調履歴の情報が不揮発メモリに保持される。また着脱自在であるため、情報を保持したまま他のコントローラに装着することができる。不揮発メモリとしては、フラッシュメモリのような半導体メモリが挙げられる。
【０００９】
また、ＲＡＭと不揮発メモリとを併用することで、不揮発メモリを取り外した場合またはＲＡＭと不揮発メモリの一方が故障した場合にもデータを保持することができる。
【００１１】
さらに、例えば不揮発メモリが故障して新たな不揮発メモリを装着する場合に、ＲＡＭに記憶されているこれまでの履歴データが転送され、引き続き不揮発メモリにデータを蓄積することができる
【００１３】
【発明の実施の形態】
次に、本発明の実施形態について、図面を参照して説明する。
図１に示したものは、コンテナ用冷凍装置１（図２参照）に設けられたコントローラ２０である。このコントローラ２０は、図１に示すようにコンテナ２の温度、空調装置の運転パターン、アラーム発生時刻など、コンテナ用冷凍装置１の空調履歴Ｈを逐次（例えば１時間に１回）記憶する記憶部２１が設けられている。
この記憶部２１には、記憶媒体としてＳＲＡＭ６とフラッシュメモリ（不揮発メモリ）２２が搭載されている。ＳＲＡＭ６はバッテリ９により常に通電されていて、ＳＲＡＭ６の記憶情報が消えないようになっている。フラッシュメモリ２２は、コントローラ２０に対して着脱自在となっている。
これらＳＲＡＭ６とフラッシュメモリ２２には、メモリ制御部２５によって所定の記憶情報（空調履歴Ｈ）の書き込み、読み出しが行われるようになっている。
また、コントローラ２０は通信ポート２６を介してメモリ制御部２５とパソコン７との間でデータ転送を行うことができるようになっている。
【００１４】
次に、動作について説明する。
まず、通常状態においては、空調履歴Ｈはメモリ制御部２５によってＳＲＡＭ６とフラッシュメモリ２２の双方に書き込まれて蓄積される。これにより、ＳＲＡＭ６とフラッシュメモリ２２の内容は同期状態となる。
何らかの原因でバッテリ９による電源供給が断たれた場合、ＳＲＡＭ６の内容は失われるが、フラッシュメモリ２２は不揮発メモリであるため情報を保持することができる。一方、何らかの原因でフラッシュメモリ２２が故障した場合やフラッシュメモリ２２を取り外す場合でも空調履歴ＨはＳＲＡＭ６に保持される。
また、フラッシュメモリ２２を交換して新たなフラッシュメモリ２２を装着すると、ＳＲＡＭ６に記憶されているデータがメモリ制御部２５によって読み出され、この新たなフラッシュメモリ２２に書き込まれる。このため、このフラッシュメモリ２２に過去の情報が書き込まれ、引き続きフラッシュメモリ２２にデータを蓄積することができる。
【００１５】
また、コントローラ２０が故障した場合、故障したコントローラ２０からフラッシュメモリ２２をとり外し、フラッシュメモリ２２以外のコントローラ２０を交換する。そして、新たなコントローラ２０にそれま使用していたフラッシュメモリ２２を装着する。これにより、空調履歴Ｈのデータを引き続きフラッシュメモリ２２に蓄積し続けることができる。
【００１６】
このように、本実施形態によるコンテナ用冷凍装置では、コントローラ２０の故障等が発生しても、使用開始から現在までのすべての空調履歴を続けて保持することができる。
また、フラッシュメモリ２２の交換またはコントローラ２０の交換時において、コンピュータ７などの他の媒体を必要としないため、取り扱いが容易である。
【００１７】
なお、上記の実施形態においてはフラッシュメモリ２２とともにＳＲＡＭ６を併用することとしたが、ＳＲＡＭ６がなくフラッシュメモリ２２だけであってもよい。また複数のフラッシュメモリ２２を設け、これらを同期させておくこととしてもよい。
また、不揮発メモリとしてフラッシュメモリ２２を示したが、これに限らず、不揮発性のメモリであればいかなるものであってもよい。
【００１８】
【発明の効果】
以上説明したように、本発明においては、以下の効果を得ることができる。
請求項１に記載の発明によれば、電源がなくとも空調履歴の情報が不揮発メモリに保持される。また着脱自在であるため、情報を保持したまま他のコントローラに装着することができる。したがって空調履歴データの損失を防止することができると共にコントローラの交換を容易に行うことができる。
さらに、ＲＡＭと不揮発メモリとを併用することで、不揮発メモリを取り外した場合または不揮発メモリが故障した場合にもデータを保持することができる。したがって空調履歴データの損失を防止することができる。
そして、不揮発メモリが故障して新たな不揮発メモリを装着する場合に、ＲＡＭに記憶されているこれまでの履歴データが転送され、引き続き不揮発メモリにデータを蓄積することができる。
また、不揮発メモリの内容とＲＡＭの内容が同じであるため、相互にバックアップをとることができる。
【図面の簡単な説明】
【図１】  本発明の一実施形態として示したコンテナ用冷凍装置のコントローラを示したブロック図である。
【図２】  コンテナ用冷凍装置が装備されたコンテナを示した図である。
【図３】  従来のコンテナ用冷凍装置のコントローラを示したブロック図である。
【符号の説明】
１  コンテナ用冷凍装置
２  コンテナ
３  コントローラ
６  ＳＲＡＭ（ＲＡＭ）
２０  コントローラ
２２  フラッシュメモリ（不揮発メモリ）
２５  メモリ制御部
【図１】
0003706584.tif 000002
【図２】
0003706584.tif 000003
【図３】
0003706584.tif 000004